【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  皮下経路を通して骨に材料を詰めるための器具であって、該器具は、一定長さおよび終端を有する本体を含み、該本体は、刻印を含み、該刻印は、該終端から該長さに沿って増大して位置している、
器具。
【請求項２】  前記本体が、ほぼ剛性の材料から製造されている、請求項１に記載の器具。
【請求項３】  前記本体の前記長さが、前記皮下経路よりも長い、請求項１に記載の器具。
【請求項４】  前記本体が、少なくとも１個の放射線不透過性マーカーを含む、請求項１に記載の器具。
【請求項５】  骨に至る遠位末端を有する皮下カニューレを通って前進できるタンピング器具であって、該器具は、終端を有する本体を含み、該終端は、該前進中にて、該カニューレ内に存在している材料を骨に押し付け、該本体は、刻印を有し、該刻印は、該皮下カニューレを通る該終端の該前進を視覚的に測るためにある、
タンピング器具。
【請求項６】  前記本体が、ほぼ剛性の材料から製造されている、請求項５に記載のタンピング器具。
【請求項７】  前記本体の前記長さが、前記皮下カニューレよりも長い、請求項５に記載のタンピング器具。
【請求項８】  前記本体が、少なくとも１個の放射線不透過性マーカーを含む、請求項５に記載のタンピング器具。
【請求項９】  骨に材料を送達するための装置であって、該装置は、以下：
骨への皮下経路を確立するためのカニューレ；および
該カニューレを通って前進するためのタンピング器具であって、該タンピング器具は、終端を有する本体を含み、該終端は、該前進中にて、該カニューレ内に存在している材料を骨に押し付ける、タンピング器具、
を備える、装置。
【請求項１０】  前記本体が、刻印を含み、該刻印が、前記カニューレを通る前記終端の前記前進を視覚的に測るためにある、請求項９に記載の装置。
【請求項１１】  前記カニューレが、一定長さを有し、そして前記タンピング器具の長さが、該カニューレの該長さを越える、請求項９に記載の装置。
【請求項１２】  前記本体が、設定点刻印を含み、該刻印が、前記カニューレの前記長さと大体等しい距離で、前記終端から間隔を置いて配置されている、請求項１１に記載の装置。
【請求項１３】  前記本体が、少なくとも１個の追加刻印を含み、該追加刻印が、前記カニューレを通る前記終端の前進を視覚的に測るためにある、請求項１２に記載の装置。
【請求項１４】  前記本体が、少なくとも１個の放射線不透過性マーカーを含む、請求項９に記載の装置。
【請求項１５】  前記本体が、ほぼ剛性の材料から製造されている、請求項９に記載の装置。
【請求項１６】  さらに、空洞形成器具を含み、該空洞形成器具が、海綿質を圧迫するために、前記カニューレを通って、骨に前進するためにある、請求項９に記載の装置。
【請求項１７】  前記空洞形成器具が、拡大可能構造体を含む、請求項１６に記載の装置。
【請求項１８】  骨に材料を送達するための部品のアセンブリであって、該アセンブリは、以下：
カニューレ；
終端を有する本体を含むタンピング器具；および
説明書であって、以下の工程：
該カニューレを展開して、骨への皮下経路を確立する工程；
該カニューレを通して、骨に材料を導入する工程；および
該カニューレを通して、該終端を前進させて、該カニューレ内に存在している材料を骨に押し付ける工程、
を含む方法に従って該アセンブリを使用するための説明書、
を備える、アセンブリ。
【請求項１９】  前記本体が、一定長さを有し、そして刻印を含み、該刻印が、前記カニューレを通る前記終端の前進を測るために、該終端から該長さに沿って増分で、位置している、請求項１８に記載のアセンブリ。
【請求項２０】  前記本体が、少なくとも１個の放射線不透過性マーカーを含む、請求項１８に記載のアセンブリ。
【請求項２１】  さらに、空洞形成器具を含み、該空洞形成器具が、海綿質を圧迫するためにある、請求項１８に記載のアセンブリ。
【請求項２２】  前記空洞形成器具が、拡大可能構造体を含む、請求項２１に記載のアセンブリ。
【請求項２３】  前記方法が、さらに、前記空洞形成器具を、前記カニューレを通して展開して、海綿質を圧迫して空洞を形成する工程を包含し、そして
前記導入工程および前記前進工程が、該空洞に材料を導入する、請求項２１に記載のアセンブリ。
【請求項２４】  皮下カニューレを通して骨に材料を導入するための装置であって、該装置は、送達装置およびノズル器具を含み、該送達装置は、約３６０ｐｓｉ以下の送達圧力で、該材料を運搬するためにあり、そして該ノズル器具は、該皮下カニューレを通って、骨へと前進でき、そして近位取付具およびノズル終端を含み、該近位取付具は、該ノズル器具を該送達装置に連結するためにあり、そして該ノズル終端を通して、該送達装置により運搬される該材料は、該送達圧力で、骨に入る、
装置。
【請求項２５】  前記ノズル器具が、ほぼ可撓性の材料から製造されている、請求項２４に記載の装置。
【請求項２６】  前記ノズル器具が、ほぼ剛性の材料から製造されている、請求項２４に記載の装置。
【請求項２７】  前記送達装置が、注射器を含む、請求項２４に記載の装置。
【請求項２８】  さらに、タンピング器具を含み、該タンピング器具が、前記皮下カニューレを通って前進でき、そして充填終端を有し、該充填終端が、該前進中にて、該皮下カニューレ内に存在している材料を骨に押し付ける、請求項２４に記載の装置。
【請求項２９】  前記タンピング器具が、刻印を有し、該刻印が、前記皮下カニューレを通る前記充填終端の前記前進を視覚的に測るためにある、請求項２８に記載の装置。
【請求項３０】  前記タンピング器具が、少なくとも１個の放射線不透過性マーカーを含む、請求項２８に記載の装置。
【請求項３１】  前記タンピング器具が、ほぼ剛性の材料から製造されている、請求項２８に記載の装置。
【請求項３２】  前記ノズル器具が、刻印を含み、該刻印が、前記皮下カニューレを通る前記ノズル終端の前記前進を視覚的に測るためにある、請求項２４に記載の装置。
【請求項３３】  前記ノズル器具が、少なくとも１個の放射線不透過性マーカーを含む、請求項２４に記載の装置。
【請求項３４】  さらに、空洞形成器具を含み、該空洞形成器具が、海綿質を圧迫するために、前記皮下カニューレを通って、前進できる、請求項２４に記載の装置。
【請求項３５】  前記空洞形成器具が、拡大可能構造体を含む、請求項３４に記載の装置。
【請求項３６】  骨に材料を導入するための部品のアセンブリであって、該アセンブリは、以下：
カニューレ；
送達装置であって、該送達装置は、約３６０ｐｓｉ以下の送達圧力で、該材料を運搬するために、アクチュエータを有する、送達装置；
ノズル器具であって、該ノズル器具は、該カニューレを通って、骨へと前進でき、そして近位取付具およびノズル終端を含み、該近位取付具は、該ノズル器具を該送達装置に連結するためにある、ノズル器具；
説明書であって、以下の工程：
該カニューレを展開して、骨への皮下経路を確立する工程；および
該送達装置を作動して、該送達圧力で、該ノズル終端を通して、骨へと材料を運搬する工程、
を含む方法に従って該アセンブリを使用するための説明書、
を備える、アセンブリ。
【請求項３７】  さらに、タンピング器具を含み、該タンピング器具が、前記カニューレを通って前進でき、そして充填終端を有し、
ここで、前記方法が、さらに、該カニューレを通して該充填終端を前進させて、該カニューレ内に存在している材料を骨に押し付ける工程を包含する、請求項３６に記載のアセンブリ。
【請求項３８】  前記タンピング器具が、刻印を有し、該刻印が、前記皮下カニューレを通る前記充填終端の前記前進を視覚的に測るためにある、請求項３７に記載のアセンブリ。
【請求項３９】  前記タンピング器具が、少なくとも１個の放射線不透過性マーカーを含む、請求項３７に記載のアセンブリ。
【請求項４０】  前記ノズル器具が、刻印を含み、該刻印が、前記皮下カニューレを通る前記ノズル終端の前記前進を視覚的に測るためにある、請求項３６に記載のアセンブリ。
【請求項４１】  前記ノズル器具が、少なくとも１個の放射線不透過性マーカーを含む、請求項３６に記載のアセンブリ。
【請求項４２】  前記送達装置が、注射器を含む、請求項３６に記載のアセンブリ。
【請求項４３】  さらに、空洞形成器具を含み、該空洞形成器具が、海綿質を圧迫するためにある、請求項３６に記載のアセンブリ。
【請求項４４】  前記空洞形成器具が、拡大可能構造体を含む、請求項４３に記載のアセンブリ。
【請求項４５】  前記方法が、さらに、前記空洞形成器具を、前記カニューレを通して展開して、海綿質を圧迫して空洞を形成する工程を包含し、そして前記作動工程が、該空洞に材料を運搬する、請求項４３に記載のアセンブリ。
【請求項４６】  骨に展開するための用具であって、該用具は、以下：
遠位領域を有するカテーテルチューブ；
海綿質を緻密化するための拡大可能構造体であって、該拡大可能構造体は、該遠位領域により運ばれる、拡大可能構造体；および
導入器スリーブであって、該導入器スリーブは、後退位置と前進位置との間で移動するために、該カテーテルチューブにより滑り可能に運ばれ、該後退位置は、該拡大可能構造体から間隔があけられ、そして該前進位置は、該拡大可能構造体の上に重なる、導入器スリーブ、
を備え、
該導入器スリーブは、以下：
管状本体であって、該管状本体は、該導入器スリーブが該前進位置にあるとき、該拡大可能構造体を圧迫するような寸法にされている、管状本体；および
カラーであって、該カラーは、該導入器スリーブが該前進位置にあるとき、該カテーテルチューブの該遠位領域を越えて延び、該カラーは、カニューレの末端と解除可能に係合するように、該管状本体よりも大きな寸法にされており、それにより、該導入器スリーブは、該カニューレの該末端を通って該カニューレへと通過するように、該拡大可能構造体の大きさを合わせると共にそれと整列させる、カラー、
を含む、用具。
【請求項４７】  前記カテーテルチューブが、心棒を有する近位領域を含み、そして
前記導入器スリーブが、第二カラーを含み、該第二カラーが、前記第一カラーと反対の前記管状本体から延び、該第二カラーが、該導入器スリーブが該後退位置にあるとき、該心棒と解除可能に係合するような寸法にされている、請求項４６に記載の用具。
【請求項４８】  前記近位領域が、前記心棒に隣接したハンドルを含む、請求項４７に記載の用具。
【請求項４９】  前記カテーテルチューブが、ハンドルを有する近位領域を含み、そして
前記導入器スリーブが、第二カラーを含み、該第二カラーが、前記第一規定カラーと反対の前記管状本体から延び、該第二カラーが、該導入器スリーブが前記後退位置にあるとき、該ハンドルと解除可能に係合するような寸法にされている、請求項４６に記載の用具。
【請求項５０】  皮下カニューレを通して骨に材料を導入するための装置であって、該装置は、送達装置、ノズル器具および探査針を含み、該送達装置は、約３６０ｐｓｉ以下の送達圧力で、該材料を運搬するためにあり、そして該ノズル器具は、該皮下カニューレを通って、骨へと前進でき、そして近位取付具およびノズル穴を含み、該近位取付具は、該ノズル器具を該送達装置に連結するためにあり、そして該ノズル穴を通して、該送達装置により運搬される該材料は、該送達圧力で、骨に入り、そして該探査針は、該近位取付具を通って、該ノズル穴へと前進して、該ノズル穴を閉じることができ、該ノズル器具と一緒に、タンピング器具を形成し、該タンピング器具は、該皮下カニューレからの残留材料を押し付けるために、該皮下カニューレを通って、前進できる、
装置。
【請求項５１】  前記ノズル器具が、刻印を含み、該刻印が、前記カニューレを通る前記ノズル器具の前記前進を視覚的に測るためにある、請求項５０に記載の装置。
【請求項５２】  前記送達装置が、注射器を含む、請求項５０に記載の装置。
【請求項５３】  骨に材料を送達するためのシステムであって、該システムは、以下：
軟組織を通して展開されて、骨への皮下経路を確立するように構成されたカニューレ；
該カニューレを通して、骨に導入され得るように処方された材料；および
該カニューレを通して前進されて、該カニューレ内に存在している材料を骨に押し付けるように構成されたタンピング器具、
を備える、システム。
【請求項５４】  前記材料が、約３６０ｐｓｉ以下の圧力で送達される、請求項５３に記載のシステム。
【請求項５５】  前記材料を導入するように構成された手動注射器をさらに備える、請求項５３に記載のシステム。
【請求項５６】  前記材料が、骨セメントを含有する、請求項５３に記載のシステム。
【請求項５７】  前記材料が、自家移植組織を含有する、請求項５３に記載のシステム。
【請求項５８】  前記材料が、異系移植組織を含有する、請求項５３に記載のシステム。
【請求項５９】  前記材料が、合成骨代替物を含有する、請求項５３に記載のシステム。
【請求項６０】  前記材料が、薬物を含有する、請求項５３に記載のシステム。
【請求項６１】  前記材料が、硬化状態に固化する材料を含有する、請求項５３に記載のシステム。
【請求項６２】  前記カニューレを通って展開し、海綿質を圧迫して空洞を形成するように構成された空洞形成器具をさらに備える、請求項５３に記載のシステム。